(57)【要約】【課題】加湿器の性能低下を従来よりも抑制できる燃料電池システムを提供する。【解決手段】燃料ガスと酸化ガスとの電気化学反応により発電する燃料電池２０と、該燃料電池に酸化ガスを供給する酸化ガス供給管３２と、燃料電池から排出された酸化オフガスを排出する酸化オフガス排出管３５と、酸化ガス供給管及び酸化オフガス排出管に設けられ、酸化オフガスに含まれる水分を酸化ガスに与えることにより酸化ガスを加湿する加湿器３３と、加湿器に導入される酸化ガスの流量が所定の加湿器劣化閾値以上となった場合に、加湿器の負荷を低減するように、該加湿器を通過するガスの流量又は圧力を変化させる調整システム５０とを備える。【選択図】図１
2009164050.tif 000002
【特許請求の範囲】
【請求項１】
燃料ガスと酸化ガスとの電気化学反応により発電する燃料電池と、
前記燃料電池に酸化ガスを供給する酸化ガス供給路と、
前記燃料電池から排出された酸化オフガスを排出する酸化オフガス排出路と、
前記酸化ガス供給路及び前記酸化オフガス排出路に設けられ、酸化オフガスに含まれる水分を酸化ガスに与えることにより酸化ガスを加湿する加湿器と、
前記加湿器に導入される酸化ガスの流量が所定の加湿器劣化閾値以上となった場合に、前記加湿器の負荷を低減するように、前記加湿器を通過するガスの流量又は圧力を変化させる調整システムと、
を備える燃料電池システム。
【請求項２】
前記調整システムは、前記加湿器に導入される酸化ガスの流量が前記所定の加湿器劣化閾値以上となった場合に、酸化ガス及び酸化オフガスに前記加湿器をバイパスさせる、請求項１に記載の燃料電池システム。
【請求項３】
前記調整システムは、
前記加湿器に導入される酸化ガスの流量を測定する流量センサ、又は該酸化ガスの圧力を測定する圧力センサと、
前記酸化ガス供給管に設けられた、前記加湿器をバイパスする第１のバイパス路と、
前記第１のバイパス路を流通する酸化ガスの流量を調整する第１の弁と、
前記酸化オフガス排出管に設けられた、前記加湿器をバイパスする第２のバイパス路と、
前記第２のバイパス路を流通する酸化ガスの流量を調整する第２の弁と、
前記流量センサ又は前記圧力センサによる測定値に基づいて前記第１及び第２の弁を制御する制御部と、
を備え、
前記制御部は、前記測定値が前記所定の加湿器劣化閾値以上となった場合に、酸化ガスが前記加湿器をバイパスして前記燃料電池に供給されるように前記第１の弁を動作させると共に、酸化オフガスが前記加湿器をバイパスして排出されるように前記第２の弁を動作させる、請求項２に記載の燃料電池システム。
【請求項４】
前記燃料電池のインピーダンスを測定するインピーダンス測定部をさらに備え、
前記調整システムは、前記インピーダンス測定部によって測定されたインピーダンスの値が所定のインピーダンス閾値以上となった場合に、酸化ガス及び酸化オフガスに前記加湿器をバイパスさせないでこれを通過させる、請求項３に記載の燃料電池システム。
【請求項５】
前記調整システムは、前記加湿器に導入される酸化ガスの流量が前記所定の加湿器劣化閾値以上となった場合に、前記加湿器における酸化ガスと酸化オフガスとの間の差圧を低減する、請求項１に記載の燃料電池システム。
【請求項６】
前記調整システムは、
前記加湿器に導入される酸化ガスの流量を測定する流量センサ、又は該酸化ガスの圧力を測定する圧力センサと、
前記加湿器から流出する酸化オフガスの圧力を調整する第３の弁と、
前記流量センサ又は前記圧力センサによる測定値に基づいて前記第３の弁を制御する制御部と、
を備え、
前記制御部は、前記測定値が前記所定の加湿器劣化閾値以上となった場合に、前記加湿器から流出する酸化オフガスの圧力を高くするように前記第３の弁を制御する、請求項１又は５に記載の燃料電池システム。
【発明の詳細な説明】
【技術分野】
【０００１】
本発明は、燃料電池を備えた燃料電池システムに関し、特に、燃料電池に供給されるガスの含水量を調整するための加湿器に関するものである。
【背景技術】
【０００２】
燃料電池は、水素ガスに代表される燃料ガスと、空気に代表される酸化ガスとの電気化学反応により電力を発生し、それと同時に水分を生成する。燃料電池の一種である固体高分子型燃料電池は、固体高分子電解質膜を水素極（アノードともいう）と酸素極（カソードともいう）とにより挟み込んだ構造を有している。この型の燃料電池においては、燃料ガスと酸素ガスとの反応におけるプロトンの伝導を電解質膜が担うため、発電性能を維持するために、電解質膜の水分を適切な状態に制御する必要がある。そのため、燃料電池システムには、燃料電池に供給されるガスを加湿するための加湿器が設けられている。
【０００３】
加湿器の内部には、燃料電池から排気された使用済みのガスと燃料電池に供給される乾燥したガス（被加湿ガス）との間で水分を交換するための中空糸膜モジュール（交換樹脂）が設けられている。中空糸膜モジュールは、多数の中空糸膜を束ねたものである。通常、燃料電池から排気されたガスは、発電の際に生成された水分を含んで湿潤状態となっているので、このガス（加湿ガス）を中空糸膜モジュールの内側（又は外側）に流通させ、被加湿ガスをモジュールの外側（又は内側）に流通させることにより、加湿ガスに含まれる水分が中空糸膜に吸収され、この水分が被加湿ガスに与えられる。
【０００４】
しかし、このような中空糸膜モジュールが劣化すると、加湿器の加湿性能が低下し、被加湿ガスを十分に加湿できなくなってしまう。そのため、中空糸膜束の劣化を抑制できるような対策が望まれている。
【０００５】
特許文献１には、カソードへのガスの供給側及び排出側の各々に加湿器をバイパスするバイパス通路を設け、燃料電池の停止時にはバイパス通路に切り替えてシステム内の水分除去を行う燃料電池システムが開示されている。しかし、このシステムにおいては、システムの運転中には常に加湿器に負荷が与えられているため、加湿器の性能低下を抑えることはできない。
【特許文献１】特開２００５-２５１５７６号公報
【発明の開示】
【発明が解決しようとする課題】
【０００６】
そこで、本発明は、加湿器の性能低下を従来よりも抑制できる燃料電池システムを提供することを目的とする。
【課題を解決するための手段】
【０００７】
上記目的を達成するため、本発明の１つの観点に係る燃料電池システムは、燃料ガスと酸化ガスとの電気化学反応により発電する燃料電池と、前記燃料電池に酸化ガスを供給する酸化ガス供給路と、前記燃料電池から排出された酸化オフガスを排出する酸化オフガス排出路と、前記酸化ガス供給路及び前記酸化オフガス排出路に設けられ、酸化オフガスに含まれる水分を酸化ガスに与えることにより酸化ガスを加湿する加湿器と、前記加湿器に導入される酸化ガスの流量が所定の加湿器劣化閾値以上となった場合に、前記加湿器の負荷を低減するように、前記加湿器を通過するガスの流量又は圧力を変化させる調整システムとを備える。
ここで、加湿器劣化閾値とは、加湿器の劣化を招く可能性があるガス流量の下限値のことである。
【０００８】
本発明の１つの観点によれば、加湿器に導入される酸化ガスの流量が多くなった場合に、ガスの流量又は圧力を変化させて加湿器の負荷を低減するので、加湿器の性能低下を抑制することが可能となる。
【０００９】
前記調整システムは、前記加湿器に導入される酸化ガスの流量が前記所定の加湿器劣化閾値以上となった場合に、酸化ガス及び酸化オフガスに前記加湿器をバイパスさせても良い。
このように、酸化ガス及び酸化オフガスに加湿器をバイパスさせることにより、加湿器の負荷を低減させることができる。
【００１０】
この場合に、前記調整システムは、前記加湿器に導入される酸化ガスの流量を測定する流量センサ、又は該酸化ガスの圧力を測定する圧力センサと、前記酸化ガス供給管に設けられた、前記加湿器をバイパスする第１のバイパス路と、前記第１のバイパス路を流通する酸化ガスの流量を調整する第１の弁と、前記酸化オフガス排出管に設けられた、前記加湿器をバイパスする第２のバイパス路と、前記第２のバイパス路を流通する酸化オフガスの流量を調整する第２の弁と、前記流量センサ又は前記圧力センサによる測定値に基づいて前記第１及び第２の弁を制御する制御部とを備え、前記制御部は、前記測定値が前記所定の加湿器劣化閾値以上となった場合に、酸化ガスが前記加湿器をバイパスして前記燃料電池に供給されるように前記第１の弁を動作させると共に、酸化オフガスが前記加湿器をバイパスして排出されるように前記第２の弁を動作させても良い。
【００１１】
さらに、前記燃料電池システムは、前記燃料電池のインピーダンスを測定するインピーダンス測定部を備え、前記調整システムは、前記インピーダンス測定部によって測定されたインピーダンスの値が所定のインピーダンス閾値以上となった場合に、酸化ガス及び酸化オフガスに前記加湿器をバイパスさせないでこれを通過させることが望ましい。
【００１２】
燃料電池のインピーダンスの値が大きくなった場合には、燃料電池内のセルの含水量が低下していると考えられるので、その場合には、酸化ガスの流量にかかわらず、酸化ガス及び酸化オフガスのバイパスを停止して、これらのガスを加湿器に導入する。それにより、加湿された酸化ガスが再び燃料電池に供給されるようになるので、燃料電池のインピーダンスの上昇が抑制され、その結果、燃料電池の発電性能を維持できるようになる。
【００１３】
或いは、前記調整システムは、前記加湿器に導入される酸化ガスの流量が前記所定の加湿器劣化閾値以上となった場合に、前記加湿器における酸化ガスと酸化オフガスとの間の差圧を低減しても良い。
このように、加湿器内における酸化ガスと酸化オフガスとの間の差圧を低減することにより、ストイキ比を確保しつつ、加湿器を通過するガスの体積流量を減らすことができる。
【００１４】
この場合に、前記調整システムは、前記加湿器に導入される酸化ガスの流量を測定する流量センサ、又は該酸化ガスの圧力を測定する圧力センサと、前記加湿器から流出する酸化オフガスの圧力を調整する第３の弁と、前記流量センサ又は前記圧力センサによる測定値に基づいて前記第３の弁を制御する制御部とを備え、前記制御部は、前記測定値が前記所定の加湿器劣化閾値以上となった場合に、前記加湿器から流出する酸化オフガスの圧力を高くするように前記第３の弁を制御しても良い。
【発明の効果】
【００１５】
本発明によれば、燃料電池システムにおいて、加湿器の負荷を低減するように、加湿器を通過するガスの流量又は圧力を変化させるので、加湿器の劣化を抑制することが可能となる。
【発明を実施するための最良の形態】
【００１６】
以下、本発明の実施の形態について、図面を参照しながら詳しく説明する。なお、同一の構成要素には同一の参照番号を付して、説明を省略する。
図１は、本発明の第１の実施形態に係る燃料電池システム１の構成を示すシステム図である。この燃料電池システム１は、燃料電池自動車の車載発電システムや船舶、航空機、電車あるいは歩行ロボット等のあらゆる移動体用の発電システム、さらには、建物（住宅、ビル等）用の発電設備として用いられる定置用発電システム等に適用可能である。本実施形態においては自動車用となっている。
【００１７】
燃料電池システム１は、燃料電池２０と、酸化ガスとしての空気を燃料電池２０に供給する酸化ガス配管系３０と、燃料ガスとしての水素ガスを燃料電池２０に供給する燃料ガス配管系４０とを備える。
【００１８】
燃料電池２０は、例えば、固体高分子電解質型であり、電解質及びその両側に配置された電極層（アノード及びカソード）を含む複数のセル２１が積層された積層構造を有する。燃料電池２０は、酸化ガスと燃料ガスとの電気化学反応により電力を発生する。
【００１９】
酸化ガス配管系３０は、外気を取り込んで圧縮するエアコンプレッサ３１と、圧縮された外気を酸化ガスとして加湿器３３を介して燃料電池２０に供給する酸化ガス供給管３２と、燃料電池２０から排出された使用済みの酸化ガス（酸化オフガス）を、加湿器３３を介して排出する酸化オフガス排出管３５とを含む。なお、エアコンプレッサ３１の上流に、外気を清浄にするためのエアクリーナーをさらに設けても良い。或いは、酸化オフガス排出管３５に、希釈器やマフラーをさらに設けても良い。
【００２０】
加湿器３３は、燃料電池２０における電気化学反応の際に生成された水分を含む高湿の酸化オフガスを利用して、酸化ガスを加湿する。
図２は、加湿器３３の内部構造を示す図である。加湿器３３の筐体３００には、酸化ガスの入口３０１及び出口３０２、並びに、酸化オフガスの入口３０３及び出口３０４が設けられている。また、加湿器３３の内部には、望ましくは水蒸気のみを透過させる複数の中空糸膜を束ねた中空糸膜束（中空糸膜モジュール）３０５が配置されている。さらに、加湿器３３の内部は、仕切り部材３０６により、酸化ガスの流路（ドライ側流路）３０７と酸化オフガスの流路（ウェット側流路）３０８とに仕切られている。加湿器３３の内部において、中空糸膜モジュール３０５の内側に酸化オフガスを流通させ、中空糸膜モジュール３０５の外側に酸化ガスを流通させる。すると、酸化オフガスの水分が中空糸膜に吸収され、その水分が酸化ガスに与えられる。
【００２１】
再び、図１を参照すると、燃料ガス配管系４０は、燃料ガスを燃料電池２０に供給する燃料ガス供給路４１と、燃料ガスから排出された使用済みの燃料ガス（燃料オフガス）を排出する燃料オフガス排出路４２とを含む。燃料ガス配管系４０には、さらに、燃料ガスを貯蓄する高圧ガスタンクや、燃料オフガスを再利用するための循環ポンプ等を設けても良い。
【００２２】
さらに、この燃料電池システム１は、加湿器３３を通過するガスの流量を変化させる調整システム５０として、制御部５１と、流量センサ５２と、三方弁５３と、酸化ガスバイパス路５４と、三方弁５５と、酸化オフガスバイパス路５６と、インピーダンス測定部５７とを備える。
【００２３】
流量センサ５２は、加湿器３３に導入される酸化ガスの体積流量を測定し、その測定結果を制御部５１に出力する。
【００２４】
酸化ガスバイパス路５４は、加湿器３３をバイパスするように、酸化ガスを燃料電池２０に導く。また、酸化オフガスバイパス路５６は、加湿器３３をバイパスするように酸化オフガスを排気系に導く。
【００２５】
三方弁５３は、酸化ガス供給管３２の酸化ガスバイパス路５４との分岐点に設けられている。また、三方弁５５は、酸化オフガス排出管３５の酸化オフガスバイパス路５６との分岐点に設けられている。これらの三方弁５３及び５５は、制御部５１の制御の下で動作する、例えば電磁弁であり、酸化ガス及び酸化オフガスを加湿器３３に導入するか、又は、加湿器３３をバイパスさせるかを切り替える。通常の動作状態において、三方弁５３及び５５は、酸化ガス及び酸化オフガスを加湿器３３に導入する向きに開いている。
【００２６】
インピーダンス測定部５７は、燃料電池２０のインピーダンスを測定し、その測定値を制御部５１に出力する。
【００２７】
制御部５１は、流量センサにより測定された酸化ガスの流量が所定の値（例えば、１０００ＮＬ／分）以上となった場合に、酸化ガス及び酸化オフガスが加湿器３３をバイパスするように、三方弁５３及び５５を切り替える。それにより、大流量のガスが加湿器３３内を流通するのを避けることができる。本願においては、この所定の値を「加湿器劣化閾値」という。ここで、ＮＬ（ノーマルリットル）は、１気圧０℃におけるガスの体積（リットル）を表す。また、制御部５１は、酸化ガスの流量が加湿器劣化閾値よりも小さくなると、制御部５１は再び三方弁５３及び５５を切り替え、酸化ガス及び酸化オフガスを加湿器３３に導入する。
【００２８】
さらに、制御部５１は、酸化ガス及び酸化オフガスが加湿器３３をバイパスしている間であっても、燃料電池２０のインピーダンスの測定値が所定のインピーダンス閾値（例えば、通常の１．５倍程度に増加した値）以上になると、酸化ガス及び酸化オフガスを加湿器３３に導入するように、三方弁５３及び５５を切り替える。
【００２９】
ここで、通常、燃料電池においては、各セル２１の含水量が低下すると燃料電池２０のインピーダンスが上昇することが知られている。そこで、燃料電池２０のインピーダンスが大きくなった場合には、酸化ガス及び酸化オフガスのバイパスを停止して、それらのガスを加湿器３３に導入する。それにより、加湿された酸化ガスが再び燃料電池２０に導入されるようになるので、インピーダンスの上昇が抑制される。その結果、燃料電池２０の発電性能を維持することが可能となる。
【００３０】
以上の実施形態においては、電磁式の三方弁５３及び５５を用いているが、他の作動形式の弁（例えば、電動弁）を用いて酸化ガス及び酸化オフガスの流路の切り替えを行っても良い。また、三方弁の替わりに、２つ以上の弁を組み合わせることにより流路の切り替えを行っても良い。
【００３１】
また、本実施形態においては、酸化ガス及び酸化オフガスの全てをバイパスさせるか、又は、全てを加湿器に導入するかを切り替えているが、酸化ガス及び酸化オフガスの一部をバイパスさせ、残りを加湿器３３に導入するようにしても良い。この場合に、バイパスさせる酸化ガスの流量及び加湿器３３に導入する酸化ガスの流量、又は、それらの流量の割合は、例えば、流量センサ５２による測定値に基づいて決定しても良いし、インピーダンス測定部５７による測定値に基づいて決定しても良い。或いは、加湿器３３に導入する酸化ガス流量の上限を予め設定し、その上限を超えた分をバイパスさせるようにしても良い。
【００３２】
次に、本発明の第２の実施形態に係る燃料電池システムについて、図３を参照しながら説明する。
図３に示す燃料電池システム２は、図１に示す調整システム５０の替わりに、調整システム６０を備える。その他の構成については、図１に示すものと同様である。
【００３３】
調整システム６０は、制御部６１と、流量センサ６２と、圧力調整弁６３とを備える。
流量センサ６２は、加湿器３３に流入する酸化ガスの体積流量を測定し、その測定結果を制御部６１に出力する。
圧力調整弁６３は、加湿器３３から流出する酸化オフガスの圧力を調整する。
【００３４】
制御部６１は、流量センサ６２により測定された酸化ガスの流量が加湿器劣化閾値（例えば、１０００ＮＬ／分）以上になった場合に、圧力調整弁６３を調整して加湿器３３から流出する酸化オフガスの圧力を高くすることにより、加湿器３３におけるドライ側流路３０７とウェット側流路３０８との間の差圧を低減させる。それにより、エアストイキ比（酸素余剰率）を確保しつつ、酸化ガスの体積流量を低減することができる。ここで、エアストイキ比とは、水素と過不足なく反応するのに必要な酸素に対して、供給される酸素がどれだけ余剰であるかを示す値である。
【００３５】
本実施形態によれば、簡単な配管構造を維持したまま、加湿器３３の負荷を低減して性能低下を抑制することが可能となる。また、加湿された酸化ガスが常に燃料電池２０に供給されるので、セル２１の含水量に起因する発電性能の低下を抑制することが可能になる。
【００３６】
以上説明した本発明の第１及び第２の実施形態においては、酸化ガスの流路に設けられた流量センサ５２、６２により、加湿器３３に導入される酸化ガスの流量を測定したが、流量センサの代わりに、又は、流量センサと共に、酸化ガス供給管３２に圧力センサを設け、この圧力センサの測定値に基づいて、酸化ガスに加湿器３３をバイパスさせるか否かを決定したり、加湿器３３の背圧を決定しても良い。この場合に、制御部５１、６１は、圧力センサの測定値に基づいて、加湿器３３に導入される酸化ガスの流量を算出し、この算出値を加湿器劣化閾値と比較しても良い。或いは、酸化加湿器劣化閾値（ガス流量の閾値）に対応する圧力の閾値を予め求めておき、圧力センサの測定値をこの圧力の閾値と直接比較しても良い。
【図面の簡単な説明】
【００３７】
【図１】本発明の第１の実施形態に係る燃料電池システムの構成を示す図である。
【図２】図１に示す加湿器の内部構造を示す図である。
【図３】本発明の第２の実施形態に係る燃料電池システムの構成を示す図である。
【符号の説明】
【００３８】
１、２…燃料電池システム、２０…燃料電池、３２…酸化ガス供給管、３３…加湿器、３５…酸化オフガス排出管、５０、６０…調整システム、５１、６１…制御部、５２、６２…流量センサ、５３、５５…三方弁、５４…酸化ガスバイパス路、５６…酸化オフガスバイパス路、５７…インピーダンス測定部、６３…圧力調整弁
【図１】
2009164050.tif 000003
【図２】
2009164050.tif 000004
【図３】
2009164050.tif 000005